(57)【要約】【課題】商品陳列棚の棚板上に架設した商品整列用の仕切ワイヤが不用意に脱落するのを防ぎ、併せてその架設作業が簡単に行えるように仕切ワイヤの支持構造を改良する。【解決手段】ケース本体の庫内に装備した多段式の商品陳列棚で、前傾姿勢で棚ブラケットに支持した棚板５ａに対し、該棚板の前縁に沿って布設したワイヤ支持フレーム５ｂと棚板の後縁に沿って起立する背壁５ｃとの間に架け渡して陳列商品を棚板上に整列ガイドさせる仕切ワイヤ８を備えたものにおいて、前記仕切ワイヤの前端にＬ字形のフック部８ａ、後端にコ字形のフック部５ｂに屈曲成形するとともに、棚板のワイヤ支持フレーム５ｂには前記のＬ字形フック部を上方から差し込んで掛止するワイヤ支持穴５ｂ−１を横並びに形成し、棚板の背壁５ｃの上縁には仕切ワイヤ８を上方から落とし込んで嵌合保持する横並びのＵ字状切欠溝５ｃ−２，および背壁から背後に張り出して前記コ字形のフック部を引っ掛けるリブ状の係合フランジ５ｃ−３を形成する。【選択図】図１
2008104510.tif 000002
【特許請求の範囲】
【請求項１】
上下段に並べてケース本体の庫内に装備したショーケースの商品陳列棚であって、前傾姿勢で棚ブラケットに支持した棚板に対し、該棚板の前縁に沿って布設したワイヤ支持フレームと棚板の後縁に沿って起立する背壁との間に架け渡して陳列商品を棚板上に整列ガイドさせる仕切ワイヤを備えたものにおいて、
前記仕切ワイヤの前端にＬ字形のフック部、後端にコ字形のフック部に屈曲成形するとともに、棚板の前縁に布設したワイヤ支持フレームには前記Ｌ字形のフック部を上方から差し込んで掛止するワイヤ支持穴を横並びに形成し、棚板の背壁上縁には仕切ワイヤを上方から落とし込んで嵌合保持する横並びのＵ字状切欠溝，および該背壁から背後に張り出して前記コ字形のフック部を引っ掛けるリブ状の係合フランジを形成したことを特徴とするショーケースの商品陳列棚。
【請求項２】
上下段に並べてケース本体の庫内に装備したショーケースの商品陳列棚であって、前傾姿勢で棚ブラケットに支持した棚板に対し、該棚板の前縁に沿って布設したワイヤ支持フレームと棚板の後縁に沿って起立する背壁との間に架け渡して陳列商品を棚板上に整列ガイドさせる仕切ワイヤを備えたものにおいて、
前記仕切ワイヤの前端にＬ字形のフック部、後端に前記Ｌ字形フック部と直交する向きにワイヤを扁平状に押し広げた係合部を成形するとともに、棚板の前縁に布設したワイヤ支持フレームには前記Ｌ字形のフック部を上方から差し込んで係止するワイヤ支持穴を形成し、棚板の背壁にはワイヤ後端の係合部を嵌挿してワイヤを抜け止め保持する逆Ω字状の切欠溝を横並びに形成したことを特徴とするショーケースの商品陳列棚。
【発明の詳細な説明】
【技術分野】
【０００１】
本発明は、缶，ビン，ペットボトルなどの商品を陳列販売するショーケースの商品陳列棚に関する。
【背景技術】
【０００２】
頭記ショーケースの商品陳列棚として、所謂「商品の先入れ，先出し」方式に対応してショーケースの庫内に棚ホルダを介して前傾姿勢に支持した棚板を装備するとともに、該棚板上に陳列した商品を棚板の傾斜面に沿い一列ずつ左右分けて整列ガイドするように仕切ワイヤを備えた構成のものが公知である（例えば、特許文献１参照）。
次に、ショーケースの全体構造，および特許文献１に開示されている商品陳列棚の従来構造を図７〜図９に示す。先ず図７において、１は断熱筐体になる前面開放形のケース外箱、２は内箱、３は外箱１と内箱２との間に画成した冷気循環路に配した冷却器（冷凍機のエバポレータ）、４は冷気循環の送風ファンであり、ケース本体の庫内には上下段に並ぶ商品陳列棚５が棚ホルダ６を介して前傾姿勢に支持されており、この商品陳列棚５に缶，ビン，ペットボトルなどの商品７が後記のように整列して陳列される。
【０００３】
また、前記の商品陳列棚５は、図８で示すように、トレイ形の棚板５ａと、該棚板５ａの前縁に沿って布設したワイヤ支持フレーム５ｂと、棚板５ａの後縁に立設形成した背壁５ｃと、前記フレーム５ｂと背壁５ｃとの間に跨がり左右に並べて架設した仕切ワイヤ８と、ワイヤ支持フレーム５ｂの上に植設した門形のワイヤフェンス９とからなり、この仕切ワイヤ８で左右が仕切られた区画ごとに商品７を前後列に並べて棚板５ａに陳列するようにしている。
ここで、仕切ワイヤ８はそのワイヤ前端をＬ字形に屈曲したフック部８ａが形成されている。一方、棚板５ａの前縁に布設したワイヤ支持フレーム５ｂ（断面コ字形のチャンネル材）の頂面には定ピッチ間隔で横並びするワイヤ支持穴５ｂ−１が、またこのワイヤ支持穴５ｂ−１の配列に合わせて背壁５ｃの壁面にはワイヤ支持穴５ｃ−１が横並びに穿孔されている。
【０００４】
そして、棚板５ａに仕切ワイヤ８を架設するには、仕切ワイヤ８の後端を前方から背壁５ｃワイヤ支持穴５ｃ−１に嵌挿した上で、前端のＬ形フック部８ａを上方からフレーム５ｂに穿孔したワイヤ支持穴５ｂ−１に落とし込んで指定した位置に係止固定する。
図９（ａ）は上記構成の商品陳列棚５に商品７を陳列した状態を表しており、ここで客が棚の最前列に並ぶ商品７を取り出すと、その後方に並ぶ商品７が棚板５ａの傾斜面を滑動して最前列の位置に移動して商品の「先入れ，先出し」が行われる。
【特許文献１】特開２００５−３２８９５９号公報（図３，図４）
【発明の開示】
【発明が解決しようとする課題】
【０００５】
ところで、前記した従来構造の商品陳列棚は、実使用面で次記のような問題点がある。すなわち、図９に示す商品陳列の状態で、最前列に並ぶ商品７を上方に引き上げて取り出す際に商品７の取出し姿勢が左右に傾いたりすると、商品が仕切ワイヤ８に引っ掛かって仕切ワイヤのフック部８ａがフレーム５ｂのワイヤ支持穴５ｂ−１から不用意に抜け出してしまうことがある。しかもこの抜け出し状態を放置したままにしておくと、仕切ワイヤ８の整列ガイド機能が働かなくなって棚板５ａの上に陳列した商品の整列が乱れたり、状況によっては仕切ワイヤ８の後端が背壁５ｃの支持穴５ｃ−１から抜けてワイヤが脱落してしまうおそれもある。
また、棚板５ａに商品７を載せた状態で仕切ワイヤ８の架設位置を変更する場合には、商品が邪魔になって棚板の背壁５ｃに穿孔したワイヤ支持穴５ｃ−１がショーケースの前方から見え難く、このためにワイヤ８の後端を所望のワイヤ支持穴５ｃ−１に挿入する作業が面倒で手間がかかる。
【０００６】
本発明は上記の点に鑑みなされたものであり、その目的は前記課題を解決して棚板からの仕切ワイヤの抜け出し，脱落を防止し、併せて棚板への仕切ワイヤの架設作業が簡単に行えるよう仕切ワイヤの支持構造を改良したショーケースの商品陳列棚を提供することにある。
【課題を解決するための手段】
【０００７】
上記目的を達成するために、上下段に並べてケース本体の庫内に装備したショーケースの商品陳列棚で、前傾姿勢で棚ブラケットに支持した棚板に対し、該棚板の前縁に沿って布設したワイヤ支持フレームと棚板の後縁に沿って起立する背壁との間に架け渡して陳列商品を棚板上に整列ガイドさせる仕切ワイヤを備えたものにおいて、
第１の本発明によれば、前記仕切ワイヤの前端にＬ字形のフック部、後端にコ字形のフック部に屈曲成形するとともに、棚板の前縁に布設したワイヤ支持フレームには前記Ｌ字形のフック部を上方から差し込んで掛止するワイヤ支持穴を横並びに形成し、棚板の背壁上縁には仕切ワイヤを上方から落とし込んで嵌合保持する横並びのＵ字状切欠溝，および該背壁から背後に張り出して前記コ字形のフック部を引っ掛けるリブ状の係合フランジを形成する（請求項１）。
【０００８】
また、第２の発明では、前記仕切ワイヤの前端にＬ字形のフック部、後端に前記Ｌ字形フック部と直交する向きにワイヤを押し潰して扁平状に広げた係合部を成形するとともに、棚板の前縁に布設したワイヤ支持フレームには前記Ｌ字形のフック部を上方から差し込んで係止するワイヤ支持穴を形成し、棚板の背壁には前記の扁平係合部を嵌挿してワイヤを抜け止め保持する逆Ω字状の切欠溝を横並びに形成する（請求項２）。
【発明の効果】
【０００９】
上記の構成によれば、仕切ワイヤの前端および後端に形成したフック部，扁平状係合部を棚板のワイヤ支持フレーム，背壁に掛止したので、陳列商品を取り出す際に仕切ワイヤが前方へ抜け出して脱落するおそれがない。また、棚板上に商品を載せた状態で仕切ワイヤを架設する場合でも、ワイヤの後端を背壁に形成したＵ字状，ないし逆Ω字状の切欠溝に上方から落とし込むことでワイヤを所定位置へ簡単に掛止させることができる。
【発明を実施するための最良の形態】
【００１０】
以下、本発明の実施の形態を図１〜図３、および図４〜図６に示す実施例に基づいて説明する。なお、各実施例の図中で図８，図９に対応する部材には同じ符号を付してその説明は省略する。
【実施例１】
【００１１】
まず、本発明の請求項１に係わる実施例の構成を図１〜図３に示す。なお、図１は仕切ワイヤを棚板に架設する作業手順の説明図、図２（ａ），（ｂ）は背壁の正面図および側面図、図３（ａ），（ｂ）は仕切ワイヤの側面および底面図である。
すなわち、商品陳列棚５の棚構造は基本的に従来構造と同様であるが、図示実施例の構造では、棚板５の前縁に布設したワイヤ支持フレーム５ｂと背壁５ｃと間に架設する仕切ワイヤ８には、図３（ａ），（ｂ）で示すようにワイヤの前端側に従来構造と同じＬ字形フック部８ａを形成し、後端側にはＬ字形フック部８ａと向きを揃えてコ字形のフック部８ｂが屈曲形成されている。
また、棚板５ａについては、棚板の前縁に布設したワイヤ支持フレーム５ｂの頂面に従来構造と同様なワイヤ支持穴５ｂ−１が左右に並んで穿孔されている。一方、棚板５ａの後縁に起立形成した背壁５ｃは図２（ａ），（ｂ）で示すように壁を裏側に折り返した上で、その上縁には前記ワイヤ支持穴５ｂ−１と同じ配列ピッチに横並びしてＵ字状の切欠溝５ｃ−２を形成し、さらに背後の折り返し部分は背壁５ｃから後方へ水平に突き出すように折り曲げてリブ状の係合フランジ５ｃ−３を形成している。
【００１２】
次に、前記の仕切ワイヤ８を棚板５ａに架設する際の取付け手順を図１に基づいて説明する。先ず、仕切ワイヤ８の後部を背壁５ｃの上縁に横並び形成したＵ字状切欠溝５ｃ−２から選択した溝の中に上方から落とし込む（矢印Ｉ）。続いて仕切ワイヤ８を手前に引き寄せて（矢印II）後端のコ字形フック部８ｂを背壁５ｃの背後に形成した係合フランジ５ｃ−３に引っ掛け、最後に仕切ワイヤ８の先端に形成したＬ字形フック部８ａをワイヤ支持フレーム８ｂの頂面に穿孔したワイヤ支持穴５ｂ−１に差し込んで(矢印III)この位置に掛止固定する。
上記の架設手順で判るように、棚板５ａに仕切ワイヤ８を架設する際には、従来のようにワイヤの後端を背壁５ａの壁面に穿孔した穴径が３mm程度の小さなワイヤ支持穴５ｃ−１（図８参照）に通す手間は必要はなく、仕切ワイヤ８を棚板の上方からＵ字状切欠溝５ｃ−２に落とし込むだけで所望の位置に位置決めして掛止固定できる。
【００１３】
したがって、店舗に据付けたショーケースの稼働中に仕切ワイヤ８の架設位置を左右に変更する場合に、棚板５ａに搭載した商品が邪魔になって前方からでは背壁５ａがよく見えなくても、仕切ワイヤ８を簡単に所望位置にセットすることができる。
【実施例２】
【００１４】
次に、先記した実施例１と異なる本発明の請求項２に係わる実施例の構成を図４〜図６に示す。この実施例では、図６（ａ），（ｂ）で示すように、仕切ワイヤ８の先端側には実施例１と同様にＬ字形のフック部８ａが形成されているのに対し、後端部にはワイヤ（丸棒）をプレス加工により平角状に押し潰した扁平な係合部８ｃ（長さは１０mm程度で横幅がワイヤ５の線径よりも左右に拡大している）が先端側のＬ字形フック部８ａと直交する向きに形成されている。一方、棚板５ａの後縁に形成した背壁５ｃの上縁には、仕切ワイヤ８を掛止する溝として図５で示すような逆Ω状の切欠溝５ｃ−４が定ピッチ間隔に左右横並びして形成されている。
次に、上記の仕切ワイヤ８を棚板５ａの前縁に布設したワイヤ支持フレーム５ｂと背壁５ｃとの間に跨がって架設する際の作業手順を図１で説明する。まず、仕切ワイヤ８の後端に形成した扁平係合部８ａを縦向きにした上で、棚板の上方から背壁５ｃの上縁に形成した逆Ω状切欠溝５ｃ−４に落とし込んで嵌入し、そのまま仕切ワイヤ８を奥に押し込む（矢印Ｉ）。次に扁平係合部８ｃが縦向きから横向きになるよう仕切ワイヤ８を９０度捻回し（矢印II）、扁平係合部８ｃを背壁５ｃの背後に引っ掛けてワイヤが前方に抜け出さないようにする。この捻回によりワイヤの先端に形成したＬ字形フック部８ａが下向きになる。最後に、Ｌ字形フック部８ａを棚板の前縁側に布設したワイヤ支持フレーム５ａの頂面に穿孔したワイヤ支持穴５ｂ−１に差し込んで（矢印III）、仕切ワイヤ8をこの位置に掛止固定する。
【００１５】
これにより、仕切ワイヤ８の後端を棚板の背壁５ｃに形成した逆Ω状切欠溝５ｃ−４に落とし込み式に嵌挿掛止させることで、先記の実施例１と同様に簡単な操作で仕切ワイヤを所望の位置にセットして掛止固定することができる。
【図面の簡単な説明】
【００１６】
【図１】本発明の実施例１に係わる商品陳列棚の仕切ワイヤ取付構造，およびその架設手順の説明図
【図２】図１における棚板の背壁の要部構造図で、（ａ），（ｂ）はそれぞれ正面図，および側面図
【図３】図１における仕切ワイヤの構造図で（ａ），（ｂ）はそれぞれ側面図，および底面図
【図４】本発明の実施例２に係わる商品陳列棚の仕切ワイヤ取付構造，およびその架設手順の説明図
【図５】図４における棚板の背壁の要部構造を表す正面図
【図６】図４における仕切ワイヤの構造図で（ａ），（ｂ）はそれぞれ側面図，および底面図
【図７】庫内に商品陳列棚を装備したショーケース全体の構成を表す側視断面図
【図８】図７のショーケースに装備した商品陳列棚の従来構造を表す外形斜視図
【図９】図８の商品陳列棚に商品を収納した陳列状態を表す図で、（ａ）は棚全体の側面図、（ｂ）は（ａ）のＡ部拡大図
【符号の説明】
【００１７】
１    ショーケースのケース外箱
５    商品陳列棚
５ａ  棚板
５ｂ  ワイヤ支持フレーム
５ｂ−１  ワイヤ支持穴
５ｃ  背壁
５ｃ−２  Ｕ字状切欠溝
５ｃ−３  係合フランジ
５ｃ−４  逆Ω状切欠溝
６    棚ブラケット
７    商品
８    仕切ワイヤ
８ａ  Ｌ字形フック部
８ｂ  コ字形フック部
８ｃ  扁平係合部
【図１】
2008104510.tif 000003
【図２】
2008104510.tif 000004
【図３】
2008104510.tif 000005
【図４】
2008104510.tif 000006
【図５】
2008104510.tif 000007
【図６】
2008104510.tif 000008
【図７】
2008104510.tif 000009
【図８】
2008104510.tif 000010
【図９】
2008104510.tif 000011